(57)【要約】【課題】鼻孔等の空洞部にノズルを差し込んで液状の内容物を注出する際の、当該空洞部にかかる負担を軽減することができる注出器を提案する。【解決手段】本発明は、鼻孔等の空洞部に差し込むノズル140を有し、容器本体に充填された液状の内容物を前記空洞部の内壁に注出する注出器である。注出器は、ノズル140から泡状の内容物を注出するものであり、ノズル140は、軸部分141と、この軸部分141を取り囲んで当該軸部分141との相互間に筒状の通路140pを形成する外装部分142とを有し、この外装部分の先端に、前記通路に通じる環状の注出口140aを備える。【選択図】図２
2008114102.tif 000002
【特許請求の範囲】
【請求項１】
鼻孔等の空洞部に差し込むノズルを有し、容器本体に充填された液状の内容物を前記空洞部の内壁に注出する注出器であって、
前記注出器は、前記ノズルから泡状の内容物を注出するものであることを特徴とする注出器。
【請求項２】
前記ノズルは、軸部分と、この軸部分を取り囲んで当該軸部分との相互間に筒状の通路を形成する外装部分とを有し、
この外装部分の先端に、前記通路に通じる環状の注出口を備える請求項１に記載の注出器。
【請求項３】
前記軸部分は、その外側に、当該軸部分から外向きに突出して前記外装部分と接触する突条を有し、
前記外装部分の先端に、前記通路に通じて前記突条によって区画された複数の注出口を備える請求項２に記載の注出器。
【請求項４】
前記軸部分は、前記外装部分の先端から突出し、前記注出口から注出される泡状の内容物を斜め前方に案内する拡大先端部を備える請求項２又は３に記載の注出器。
【発明の詳細な説明】
【技術分野】
【０００１】
本発明は、点鼻薬用投薬器に代表される先細りのノズルを備えた注出器に関するものである。
【背景技術】
【０００２】
こうした従来の注出器としては、容器本体内にポンプを配置し、ノズルの押下げ及び復帰の繰り返しにより、容器本体内の薬剤をノズル先端から噴霧する点鼻用投薬器がある（例えば、特許文献１参照。）。
【特許文献１】特開２００４−８４４号公報
【０００３】
また、他の従来の注出器としては、弾性を有する樹脂材料で容器本体を形成し、その胴部の押し潰し及び復帰を繰り返して容器本体内の薬剤をノズル先端から噴霧する点鼻用投薬器がある（例えば、特許文献２参照。）。
【特許文献２】特開２００４−２９０８６８号公報
【発明の開示】
【発明が解決しようとする課題】
【０００４】
しかしながら、こうした従来の注出器は、加圧された薬剤が鼻孔に直接噴霧されるため、鼻に刺激を与えることがある。これは、使用者の不快感に繋がるため、改善の余地がある。
【０００５】
本発明の解決すべき課題は、鼻孔等の空洞部にノズルを差し込んで液状の内容物を注出する際の、当該空洞部にかかる負担を軽減することできる注出器を提案することである。
【課題を解決するための手段】
【０００６】
本発明の注出器は、鼻孔等の空洞部に差し込むノズルを有し、容器本体に充填された液状の内容物を前記空洞部の内壁に注出する注出器であって、この注出器は、前記ノズルから泡状の内容物を注出するものであることを特徴とするものである。
【０００７】
本発明に係る前記ノズルは、軸部分と、この軸部分を取り囲んで当該軸部分との相互間に筒状の通路を形成する外装部分とを有し、この外装部分は、その先端に、前記通路に通じる環状の注出口を備えることが好ましい。
【０００８】
この場合、前記軸部分は、その外側に、当該軸部分から外向きに突出して前記外装部分と接触する突条を有し、前記外装部分は、その先端に、前記通路に通じて前記突条によって区画された複数の注出口を備えるものとすることができる。
【０００９】
また、本発明に係る前記軸部分は、前記外装部分の先端から突出し、前記注出口から注出される泡状の内容物を斜め前方に案内する拡大先端部を備えることが好ましい。
【発明の効果】
【００１０】
本発明によれば、鼻孔等の空洞部にノズルを差し込んで注出される内容物が空気を含んだ泡状であるから、空洞部にノズルを差し込んで内容物を注出する際の、当該空洞部の内壁にかかる負担を軽減することができる。
【００１１】
しかも、本発明において、液状の内容物を泡状に注出するノズルが、軸部分と、この軸部分を取り囲んで当該軸部分との相互間に筒状の通路を形成する外装部分とを有し、この外装部分の先端に、前記通路に通じる環状の注出口を形成すれば、鼻孔等の空洞部にノズルを差し込んで内容物を注出する際の、当該空洞部にかかる負担を軽減しつつ、空洞部の内壁全体に万遍なく内容物を注出させることができる。
【００１２】
また、この場合、前記軸部分は、その外側に、当該軸部分から外向きに突出して前記外装部分と接触する突条を有し、前記外装部分の先端に、前記通路に通じて前記突条によって区画された複数の注出口を形成すれば、鼻孔等の空洞部にノズルを差し込んで内容物を注出する際の、当該空洞部にかかる負担を軽減しつつ、空洞部の内壁全体に万遍なく内容物を注出させるに当たり、空洞部の内壁に投与される内容物の量を局所的に調整することができる。
【００１３】
更に、本発明において、前記軸部分が、前記外装部分の先端から突出し、前記注出口から注出される泡状の内容物を斜め前方に案内する拡大先端部を備えれば、鼻孔等の空洞部にノズルを差し込んで内容物を注出する際の、当該空洞部にかかる負担を軽減しつつ、空洞部の内壁全体に万遍なく内容物を注出させるに当たり、ノズル先端付近の内壁に対して重点的に内容物を注出させることができる。
【発明を実施するための最良の形態】
【００１４】
以下、図面を参照して、本発明の好適な形態を詳細に説明する。
【００１５】
図１は、本発明の第一の形態である点鼻薬用投薬器100を側面から示す一部断面図である。
【００１６】
符号110は、口部111を有し、その内側に内容物たる液状の点鼻薬を充填する容器本体である。
【００１７】
符号120は、容器本体110の口部111に吊り下げ保持される泡ポンプである。
【００１８】
符号130は、泡ポンプ120の後述するステム129を貫通させる貫通孔130aを有し容器本体110の口部111に固定されるキャップである。
【００１９】
ここで、図２(a),(b)はそれぞれ、図１の要部拡大図及び、後述のノズル140をその先端から示す要部斜視図である。
【００２０】
符号140は、キャップ130の貫通孔130aを貫通するステム129に繋がり容器本体110の、図２(a)に示すd2方向への押し込み及び図２(a)に示すd1方向への復帰の繰り返しによりステム129を通って圧送された泡状の薬剤を注出する先細りのノズルである。なお、図１において、キャップ130には、オーバーキャップ150が着脱可能に装着されている。
【００２１】
ノズル140は、先端が封止されたコーン状の軸部分141と、この軸部分141を取り囲んで当該軸部分141との相互間に筒状の通路140pを形成する外装部分142とを有する。この外装部分142は、その外側に、外装部分142から外向きに突出する２つの指掛け片143を一体に備えると共に、その先端142eに、図２(b)に示すように、通路140pに通じる環状の注出口140aを備える。尚、指掛け片143は、その上面が操作性を考慮して下向きに湾曲する面を備えており、該指掛け片は上記の２つの指掛け片143を、外向きに環状に突出する形状に変えて構成することもできる。
【００２２】
また、軸部分141の下方には、図１に示すように、ステム129に通じる１つ以上の開口141sが、また、軸部分141の下端部には外向き突出部141fが形成されている一方、この開口141sと対向する外装部分142の内側には、外装部分142から内向きに突出する複数の突条142rが一体に形成されており、これら突条142rの下端に外向き突出部141fが当接するように外装部分142に軸部分141が内装されている。
【００２３】
ここで、本形態に係る泡ポンプ120を詳細に説明すると、泡ポンプ120は、口部111にパッキンＰを介して吊り下げ保持されるシリンダ121を有する。シリンダ121は、口部111側から順に、空気を吸入・加圧・圧送するための大径部121aと、薬剤を吸入・加圧・圧送するための小径部121bとを一体に備える。大径部121aの上方には、外向きフランジ121fを介して筒部121hが立設されていると共に、この筒部121hの外壁にはリブ121rが形成されており、キャップ130上方より垂下する環状筒部130hの下端に形成されたコ字状切欠き部130cと係合して、シリンダ121とキャップ130との相対回動を防止している。
【００２４】
シリンダ121は、その小径部121bに、先細りの先端部分120pを有し、この先端部分120pの先端に、小径部121b内側に通じる吸入口120aが開口している。シリンダ121は更に、その先端部分120pに、吸入口120aに繋がり、小径部121b内側に通じる切り欠きＳを備える。
【００２５】
シリンダ121の小径部121b内側には更に、ポペット（プランジャ）122が配置されている。このポペット122は、吸入口120aの裏面に着座可能な下端部122aを有し、リターンスプリング123を介して薬剤用ピストン124を弾支している。
【００２６】
薬剤用ピストン124は、小径部121bの内面に摺動可能に保持されるシリンダ側シール端部124aを一体に備える一方、その内側に、薬剤用ピストン124から内向きに突出し、ポペット122の上端部122bの外側面に摺動可能に保持されるポペット側シール端部124bを一体に備える。これにより、ポペット122の下端部122aが吸入口120aの裏面に着座すると、小径部121b内に、薬剤の充填空間Rcが形成される。
【００２７】
更に、薬剤用ピストン124の上端部には、中空のピストンガイド125が固定されている。このピストンガイド125は、その内側に、逆止弁としてのボール126が載置されている一方、その外側面に、エアピストン127が設けられている。
【００２８】
エアピストン127は、ピストンガイド125の外側面に摺動可能に保持されるシール端部127aと、大径部121aの内側面に摺動可能に保持されるシール端部127bとを一体に備える。これにより、大径部121a内には、空気の充填空間Raが形成される。
【００２９】
エアピストン127には更に、空気を流通させるための貫通孔127cが形成されており、この貫通孔127cは、充填空間Ra内への空気の流入のみを許容する逆止弁たるエアピストンバルブ128が設けられている。
【００３０】
更に、エアピストン127は、ピストンガイド125に取り付けられたステム（ジェットリング）129の内側面に摺動可能に保持されるシール端部127dを有し、ピストンガイド125の外側面との間に形成された隙間を、ピストンガイド125とステム129との間に形成された隙間を経てボール126の上側位置に通じさせる。
【００３１】
ステム129は、その内側に、メッシュが張設された２つのメッシュリングRmを収納している。このステム129外側面には、ノズル140が装着される。これにより、ステム129は、軸部分141に形成した開口141sから外装部分142との相互間に形成した筒状の通路140pを通って、外装部分142の先端142eに設けた環状の注出口140aに通じる。
【００３２】
ここで、本形態の作用を説明する。
【００３３】
先ず、薬剤を鼻孔に投与するときには、オーバーキャップ150を取り外した後、ノズル140を鼻孔に挿入する。
【００３４】
次に、指掛け片143に指を引っ掛けて容器本体110の底部114を押し込むと、容器本体110が矢印d2の方向に押し込まれる。この押し込みにより、泡ポンプ120のポペット122が、ステム129、エアピストン127、ピストンガイド125及び薬剤用ピストン124と一体にシリンダ121内に押し込まれ、吸入口120aの裏面に着座すると、ポペット122に沿って薬剤用ピストン124が小径部121b内に押し込まれる。これにより、薬剤用ピストン124のポペット側シール端部124bと、ポペット122の上端部122bとが離間し、充填空間Rcで加圧された薬剤は、ボール126に向かって圧送され、ボール126を持ち上げ、ステム129からノズル140の注出口140aを経て外界に抜ける。
【００３５】
同時に、エアピストン127の押し込みにより、充填空間Raの内圧も上昇するため、エアピストン127下端がピストンガイド125とのシールを解除して充填空間Raをエアピストン127とピストンガイド125との隙間に通じさせることになり、充填空間Raで加圧された空気も、ボール126の上部を通ってステム129からノズル140の注出口140aを経て外界に抜ける。
【００３６】
次に、指掛け片143から指を離すと、リターンスプリング123の弾性力により、薬剤用ピストン124が元の位置に復帰すべく移動し、薬剤用ピストン124のポペット側シール端部124bと、ポペット122の上端部122bとが再び係合すると、ポペット122は、薬剤用ピストン124等と共に元の位置に復帰すべく引き上げられる。これにより、充填空間Rcに生じた負圧で、吸入口120aから容器本体110に充填された薬剤が充填空間Rcに導入される。
【００３７】
同時に、エアピストン127もピストンガイド125と共に元の位置に復帰すべく移動し、充填空間Raの拡大で生じた負圧により、エアピストンバルブ128が貫通孔127cを空けて空気を充填空間Raに導入すると共に、エアピストン127とピストンガイド125とが再度当接してその隙間を閉じる。
【００３８】
その後更に、指掛け片143に指を引っ掛けて押し込むと、ポペット122が吸入口120aの裏面に着座した後、ポペット122に沿って薬剤用ピストン124が押し込まれて、薬剤用ピストン124とポペット122とが離間し、充填空間Rcで加圧された薬剤は、ボール126を持ち上げ、ステム129に向かって圧送される。これと同時に、エアピストン127の押し込みにより、充填空間Raの内圧も再度上昇し、エアピストン127がピストンガイド125からずれてボール126の上部を通ってステム129に圧送される。
【００３９】
これにより、ボール126の上部で薬剤と空気が混合された後、ステム129内の３つのメッシュリングRmそれぞれを通って泡状の薬剤が形成され、ノズル140の注出口140aから泡状の薬剤として注出される。
【００４０】
従って、本形態によれば、ノズル140に薬剤を圧送する機構を泡ポンプ120としたことから、ノズル140から鼻孔に投与される薬剤は空気を含んだ泡状となるため、鼻孔にノズル140を差し込んで薬剤を投与する際の、当該鼻孔の内壁にかかる負担を軽減し、使用者に与える刺激が小さく使用者に与える不快感を最大限に抑制することができる。
【００４１】
ところで、ノズル140は、単なる中空ノズルとした場合、必ずしも鼻孔の内壁全体に万遍なく薬剤を投与することができるとは限らない。
【００４２】
そこで、本形態のように、ノズル140が、軸部分141と、この軸部分141を取り囲んで当該軸部分141との相互間に筒状の通路140pを形成する外装部分142とを有し、この外装部分142の先端142eに、通路140pに通じる環状の注出口140aを形成すれば、鼻孔に薬剤を投与する際に使用者に与える不快感を最大限に抑制しつつ、鼻孔の内壁全体に万遍なく薬剤を投与することができる。
【００４３】
また、本形態のように、容器本体110は、泡ポンプ120のシリンダ先端部分120s付近を最小径とする底部114を備えるものであれば、残留内容物の減少を図ることができると共に、更に容器本体の小型・軽量化を図ることができる。
【００４４】
更に、本形態のように、シリンダ121が先細りの先端部分120pを有するものであり、この先端部分120pの縁部に、シリンダ121内に通じる切り欠きＳを備えれば、容器本体110の底部114を最小径化しつつ容器本体110の軸線Ｏ方向寸法（高さ寸法）を短縮させても、容器本体110の底部114の内面でシリンダ先端の注出口120aを閉鎖してしまうことを防止でき、確実な内容物の噴射を可能にすると共に、使用済み後の薬剤の残留を最小限に抑えることができる。
【００４５】
ところで、上記形態に係るノズル140では、鼻孔の内壁全体に万遍なく薬剤を投与するべく、外装部分142の先端142eに、筒状の通路140pに通じる環状の注出口140aを形成したが、注出口140aには、様々な形状を採用することができる。
【００４６】
図３(a)は、本発明の第二の形態である点鼻薬用投薬器200を側面から示す一部断面図であり、図３(b)は、同形態に係るノズル140の先端部分を示す要部上面図及び同形態を側面から示す一部断面図である。なお、本形態においても、他の形態と同一部分は、同一符号をもってその説明を省略する。
【００４７】
本形態に係るノズル140において、軸部分141は、その外側に、当該軸部分141から外向きに突出して外装部分142と接触する複数の突条141pを有し、外装部分142の先端142eに、筒状の通路140pに通じて突条141pによって区画された複数の注出口140aを形成したものである。
【００４８】
この場合、鼻孔に薬剤を投与する際に使用者に与える不快感を最大限に抑制しつつ、鼻孔の内壁全体に万遍なく薬剤を投与するに当たり、鼻孔の内壁に投与される薬剤の量を突条141pの高さや間隔を変えることにより、局所的に調整することができる。
【００４９】
図４(a)は、本発明の第三の形態である点鼻薬用投薬器300を側面から示す一部断面図であり、図４(b)は、同形態に採用可能なノズル140の先端部分を側面から示す一部断面図である。なお、本形態においても、他の形態と同一部分は、同一符号をもってその説明を省略する。
【００５０】
本形態に係るノズル140において、軸部分141は、外装部分142の先端142eから突出し、注出口140aから注出される泡状の薬剤を矢印Cf方向に斜め前方に案内する拡大先端部141eを一体に備える。
【００５１】
この場合、鼻孔に薬剤を投与する際に使用者に与える不快感を最大限に抑制しつつ、鼻孔の内壁全体に万遍なく薬剤を投与するに当たり、拡大先端部141eの形状、先端142eからの突出量、拡大先端部141eの基部141bの形状等を変えることにより、ノズル140の外側部分142の先端142e付近にある、鼻孔の内壁に対して重点的に薬剤を投与することができる。
【００５２】
なお、拡大先端部141eは、軸部分141と別体とすることもできる。この場合、拡大先端部141eを外装部分142の先端142eに開口させた部分から無理押しして組み付ける必要がない。
【００５３】
上述したところは、本発明の好適な形態をしたものであるが、特許請求の範囲において、種々の変更を加えることができる。例えば、泡ポンプ120の構成は、上述の形態に限ることなく、例えば、ノズルの押し込み及び復帰の繰り返しにより動作させるものでもよい。即ち、本発明に係る泡ポンプは、ノズルと容器本体との接近及び、遠離の繰り返しにより、液状の内容物を泡状にして圧送できるものであればよい。
【００５４】
また、液状の内容物を泡状の内容物にしてノズル140に圧送する泡機構としては、泡ポンプに限らず、例えば、弾性を有する樹脂等で容器本体を構成してスクイズ容器とし、ポンプの同様の作用効果を生じせしめるものであってもよい。
【００５５】
更に、上述した各形態に採用されている様々な構成は、目的及び用途に応じて、適宜組み合わせや置換等の変更を行うことができる。
【産業上の利用可能性】
【００５６】
本発明の注出器は、空洞部の内壁に液状の内容物を注出させることを目的にするものであれば、点鼻薬用投薬器に限らず、様々な薬品を投与することに用いることができ、更に、注出される内容物も液状のものであれば、種々の液体を採用できる。
【図面の簡単な説明】
【００５７】
【図１】本発明の第一の形態である点鼻薬用投薬器を側面から示す一部断面図である。
【図２】(a),(b)はそれぞれ、図１の要部拡大図及び、同形態に係るノズルをその先端から示す要部斜視図である。
【図３】(a)は、本発明の第二の形態である点鼻薬用投薬器を側面から示す一部断面図であり、(b)は、同形態に係るノズルの先端部分を示す要部上面図及び同形態を側面から示す一部断面図である。
【図４】(a)は、本発明の第三の形態である点鼻薬用投薬器を側面から示す一部断面図であり、(b)は、同形態に採用可能なノズルの先端部分を側面から示す一部断面図である。
【符号の説明】
【００５８】
110   容器本体
111   口部
120   泡ポンプ
130   キャップ
133   貫通孔
140   ノズル
140a  ノズル注出口
141   軸部分
141e  拡大先端部
141p  突条
142   外装部分
142e  外装部分先端
143   指掛け片
【図１】
2008114102.tif 000003
【図２】
2008114102.tif 000004
【図３】
2008114102.tif 000005
【図４】
2008114102.tif 000006